【手続補正書】
【提出日】平成19年11月7日(2007.11.7)
【手続補正１】
【補正対象書類名】特許請求の範囲
【補正対象項目名】全文
【補正方法】変更
【補正の内容】
【特許請求の範囲】
【請求項１】
光源と、
前記光源の光を集光する集光用光学系と、
恒星，星座など星に対応する孔、または該孔に相当する透過パターンを持つ、回転可能な恒星原板と、
前記恒星原板の回転中心を前記光学系の光軸に対し偏心させて回転させる回転機構と、
レンズまたは反射鏡で形成される投影光学系とを備え、
前記回転機構により透過原板上の投影する位置を移動可能とし、透過原板の透過光を前記投影光学系で天井または壁などの水平面，斜行面，垂直面，曲面または球面に投影することにより星空を再現することを特徴とする簡易プラネタリウム装置。
【請求項２】
光源と、
前記光源の光を集光する集光用光学系と、
任意の画像を有する透過原板と、
前記透過原板の回転中心を前記光学系の光軸に対し偏心させて回転させる回転機構と、
レンズまたは反射鏡で形成される投影光学系とを備え、
前記回転機構により透過原板上の投影する位置を移動可能とし、透過原板の透過光を前記投影光学系で天井または壁などの水平面，斜行面，垂直面，曲面または球面に投影することにより画像を再現することを特徴とする簡易画像撮影装置。
【請求項３】
前記透過原板の前または後ろに、固定された絞りを入れることにより、投影される範囲を限定することを特徴とする請求項１記載の簡易プラネタリウム装置または請求項２記載の簡易画像投影装置。
【請求項４】
前記透過原板の回転中心軸と、投影レンズの光軸の間の距離を変化させるスライド移動手段を有することを特徴とする請求項３記載の簡易プラネタリウム装置または簡易画像投影装置。
【請求項５】
前記透過原板を差し替える構造を有することを特徴とする請求項１，２，３または４記載の簡易プラネタリウム装置または簡易画像投影装置。
【請求項６】
前記光源は発光ダイオードを使用することを特徴とする請求項１，２，３，４または５記載の簡易プラネタリウム装置または簡易画像投影装置。
【請求項７】
前記請求項１，２，３，４，５または６記載の装置を、複数設置し、該複数の装置の間を電気的に接続するか、または機械的手段に接続して連動させ、それぞれの装置の投影をオン，オフ制御することにより複合的な演出効果を実現することを特徴とする簡易プラネタリウム装置または簡易画像投影装置。
【請求項８】
投影画像を生成するための透過原版を着脱可能に装填する透過原版装着部と、
前記透過原版装着部の装填された透過原版を回転させる回転機構と、
前記装填された透過原版の一部に限定して透過光を供給する光源光学系と、
前記透過原版の前記一部を透過した光によって生成される画像を投影する投影光学系と、を含み、
前記光源光学系が供給する前記透過原版の前記一部を透過する光の光路は前記透過原版の回転軸から偏心して配置されてなり、
前記光源光学系は、前記透過原版の下方に配置された発光ダイオードと前記発光ダイオードの発する光を前記透過原版の前記一部に導く集光手段と、を備え、
前記回転機構により回転する前記透過原板の前記一部の位置が移動し、前記透過原板の前記光路を通過する透過光が前記投影光学系で天井または壁などの水平面，斜行面，垂直面，曲面または球面に投影されることによって生成される画像パターンが前記透過原版の回転に伴い変化するように構成されてなることを特徴とする簡易画像撮影装置。
【請求項９】
投影画像を生成するための透過原版を着脱可能に装填する透過原版装着部と、
前記透過原版装着部の装填された透過原版を回転させる回転機構と、
光路断面が略円形形状に制限された透過光を前記装填された透過原版の一部に供給する光源光学系と、
前記透過原版の前記一部を透過した光によって生成される画像を投影する投影光学系と、を含み、
前記光源光学系が供給する前記透過原版の前記一部を透過する光の光路は前記透過原版の回転軸から偏心して配置されてなり、
前記光源光学系と前記投影光学系は前記透過原版を挟む位置に配置されてなり、
前記光源光学系は、前記投影光学系から見て前記透過原版の背面に配置された光源と前記光源の発する光を前記透過原版の前記一部に導く集光手段と、を備え、
前記回転機構により回転する前記透過原板の前記一部の位置が移動し、前記透過原板の前記光路を通過する透過光が前記投影光学系で天井または壁などの水平面，斜行面，垂直面，曲面または球面に投影されることによって生成される画像パターンが前記透過原版の回転に伴い変化するように構成されてなることを特徴とする簡易画像撮影装置。
【請求項１０】
前記光源光学系は、前記回転軸から偏心した位置に配置された円形形状の光透過部を備えた固定絞りを含み、前記光源から発せられた光が前記円形形状の光透過部と前記透過原板の前記一部とを介して前記投影光学系に導かれることを特徴とする請求項８または９記載の簡易画像撮影装置。
【手続補正２】
【補正対象書類名】明細書
【補正対象項目名】０００８
【補正方法】変更
【補正の内容】
【０００８】
前記目的を達成するために本発明の請求項１は、光源と、前記光源の光を集光する集光用光学系と、恒星，星座など星に対応する孔、または該孔に相当する透過パターンを持つ、回転可能な恒星原板と、前記恒星原板の回転中心を前記光学系の光軸に対し偏心させて回転させる回転機構と、レンズまたは反射鏡で形成される投影光学系とを備え、前記回転機構により透過原板上の投影する位置を移動可能とし、透過原板の透過光を前記投影光学系で天井または壁などの水平面，斜行面，垂直面，曲面または球面に投影することにより星空を再現することを特徴とする。
本発明の請求項２は、光源と、前記光源の光を集光する集光用光学系と、任意の画像を有する透過原板と、前記透過原板の回転中心を前記光学系の光軸に対し偏心させて回転させる回転機構と、レンズまたは反射鏡で形成される投影光学系とを備え、前記回転機構により透過原板上の投影する位置を移動可能とし、透過原板の透過光を前記投影光学系で天井または壁などの水平面，斜行面，垂直面，曲面または球面に投影することにより画像を再現することを特徴とする。
本発明の請求項３は、請求項１記載の簡易プラネタリウム装置または請求項２記載の簡易画像投影装置の発明において、前記透過原板の前または後ろに、固定された絞りを入れることにより、投影される範囲を限定することを特徴とする。
本発明の請求項４は、請求項３記載の簡易プラネタリウム装置または簡易画像投影装置において前記透過原板の回転中心軸と、投影レンズの光軸の間の距離を変化させるスライド移動手段を有することを特徴とする。
本発明の請求項５は、請求項１，２，３または４記載の簡易プラネタリウム装置または簡易画像投影装置において、前記透過原板を差し替える構造を有することを特徴とする。  本発明の請求項６は、請求項１，２，３，４または５記載の簡易プラネタリウム装置または簡易画像投影装置において、前記光源は発光ダイオードを使用することを特徴とする。
本発明の請求項７は、前記請求項１，２，３，４，５または６記載の装置を、複数設置し、該複数の装置の間を電気的に接続するか、または機械的手段に接続して連動させ、それぞれの装置の投影をオン，オフ制御することにより複合的な演出効果を実現することを特徴とする。
本発明の請求項８は、投影画像を生成するための透過原版を着脱可能に装填する透過原版装着部と、前記透過原版装着部の装填された透過原版を回転させる回転機構と、前記装填された透過原版の一部に限定して透過光を供給する光源光学系と、前記透過原版の前記一部を透過した光によって生成される画像を投影する投影光学系と、を含み、前記光源光学系が供給する前記透過原版の前記一部を透過する光の光路は前記透過原版の回転軸から偏心して配置されてなり、前記光源光学系は、前記透過原版の下方に配置された発光ダイオードと前記発光ダイオードの発する光を前記透過原版の前記一部に導く集光手段と、を備え、前記回転機構により回転する前記透過原板の前記一部の位置が移動し、前記透過原板の前記光路を通過する透過光が前記投影光学系で天井または壁などの水平面，斜行面，垂直面，曲面または球面に投影されることによって生成される画像パターンが前記透過原版の回転に伴い変化するように構成されてなることを特徴とする。
本発明の請求項９は投影画像を生成するための透過原版を着脱可能に装填する透過原版装着部と、前記透過原版装着部の装填された透過原版を回転させる回転機構と、光路断面が略円形形状に制限された透過光を前記装填された透過原版の一部に供給する光源光学系と、前記透過原版の前記一部を透過した光によって生成される画像を投影する投影光学系と、を含み、前記光源光学系が供給する前記透過原版の前記一部を透過する光の光路は前記透過原版の回転軸から偏心して配置されてなり、前記光源光学系と前記投影光学系は前記透過原版を挟む位置に配置されてなり、前記光源光学系は、前記投影光学系から見て前記透過原版の背面に配置された光源と前記光源の発する光を前記透過原版の前記一部に導く集光手段と、を備え、前記回転機構により回転する前記透過原板の前記一部の位置が移動し、前記透過原板の前記光路を通過する透過光が前記投影光学系で天井または壁などの水平面，斜行面，垂直面，曲面または球面に投影されることによって生成される画像パターンが前記透過原版の回転に伴い変化するように構成されてなることを特徴とする。
本発明の請求項１０は、請求項８または９記載の発明において前記光源光学系は、前記回転軸から偏心した位置に配置された円形形状の光透過部を備えた固定絞りを含み、前記光源から発せられた光が前記円形形状の光透過部と前記透過原板の前記一部とを介して前記投影光学系に導かれることを特徴とする。